(57)【要約】【課題】  天井ライトの如何によらず、ショーケース内部が明るく、ショーケース内に陳列されている製品（商品）が見え易くて陳列効果が高く、かつ、ショーケース内に陳列されている製品（商品）の熱劣化や色劣化が起き難く、製品（商品）の長期安定性に富むショーケースを提供することである。【解決手段】    少なくとも前面側が透明材１０ａ，１０ｂで構成されたショーケースＡにおいて、  前記前面側の透明材１０ａ，１０ｂの外側の端部に光源体１１ａ，１１ｂ，１１ｃ，１１ｄが取り付けられてなり、ショーケースＡの内部には光源体が配置されていない。【選択図】    図２
2005087428.tif 000002
【特許請求の範囲】
【請求項１】
少なくとも前面側が透明材で構成されたショーケースにおいて、
前記前面側の透明材の外側の端部に光源体が取り付けられてなり、ショーケースの内部には光源体が配置されていない
ことを特徴とするショーケース。
【請求項２】
少なくとも前面側および前面側以外の一部個所が透明材で構成されたショーケースにおいて、
前記一部個所の透明材の外側に光源体が取り付けられてなり、ショーケースの内部には光源体が配置されていない
ことを特徴とするショーケース。
【発明の詳細な説明】
【技術分野】
【０００１】
本発明は、例えばプラスチック製の玩具、その他の物品（商品）のショーケースに関する。
【背景技術】
【０００２】
従来より、プラスチック製の玩具などの商品がショーケースの棚に陳列されて販売されている。そのようなケースは、例えば箱状に構成されたものである。
【０００３】
ところで、ショーケースは箱状に構成されている為、その内部は明るさに欠けている。すなわち、ショーケースが配置されている室内の天井に強力なライトが設置されていても、天井のライトの光が直接にショーケース内に進入することは稀である。つまり、天井ライトの設置位置とショーケースの設置位置との関係、そしてショーケースの構造によっては、天井ライトの光がショーケース内に殆ど進入しないことは頗る多い。
【０００４】
このようなことから、ショーケース内には蛍光灯などのライトが設置されている。
【発明の開示】
【発明が解決しようとする課題】
【０００５】
ところで、ショーケース内は一種の閉鎖空間である。すなわち、ショーケースは、その前面側が引き戸式あるいは回動式（観音式）の扉であって、この扉を開けることによって内外が繋がるものの、通常時には扉が閉じられている。従って、通常時にあっては、ショーケース内は閉鎖空間である。
【０００６】
この為、ショーケース内に設けられている光源が蛍光灯のような発熱量の少ない光源であっても、扉が閉じられていると、長時間の経過後にはショーケース内はかなりの温度に上がって来る。
【０００７】
従って、例えばセルロイドのような耐熱性に劣るプラスチック製の製品をショーケース内に陳列していると、製品の熱劣化の進行が速く、好ましくない。
【０００８】
又、耐熱性が有る製品でも、表面に染料系の塗料が塗られた製品では、蛍光灯の光によって色劣化が進み、好ましくない。
【０００９】
よって、本発明が解決しようとする課題は、天井ライトの如何によらず、ショーケース内部が明るく、ショーケース内に陳列されている製品（商品）が見え易くて陳列効果が高く、かつ、ショーケース内に陳列されている製品（商品）の熱劣化や色劣化が起き難く、製品（商品）の長期安定性に富むショーケースを提供することである。
【課題を解決するための手段】
【００１０】
前記の課題は、少なくとも前面側が透明材で構成されたショーケースにおいて、
前記前面側の透明材の外側の端部に光源体が取り付けられてなり、ショーケースの内部には光源体が配置されていない
ことを特徴とするショーケースによって解決される。
【００１１】
或いは、少なくとも前面側および前面側以外の一部個所が透明材で構成されたショーケースにおいて、
前記一部個所の透明材の外側に光源体が取り付けられてなり、ショーケースの内部には光源体が配置されていない
ことを特徴とするショーケースによって解決される。
【００１２】
ショーケースは、基本的には、左側壁と右側壁と後壁と底板と天板とを有し、そしてこれら５面の構成材は木製とか金属製などの不透明材からなる。勿論、一部が透明材であることは妨げられない。これに対して、残りの一面（前面）が、引き戸式か回動式かは別にして、開閉扉である。この扉は、枠体は別にして、基本的には透明ガラス等の透明材で構成されている。これは、内部を覗けると言うショーケースから当然である。つまり、左右側面からも覗けても良いが、陳列されている商品を観察すると言う機能上の要請から、主に眺める側の面と規定される前面が透明材で構成されなければならない。
【００１３】
そして、この透明材の外側に光源体を取り付けるようにした。この取り付け位置は、透明材の外側であれば如何なる位置でも良いが、製品（商品）の出し入れや内部を覗くのに邪魔にならない位置が好ましい。すなわち、前面側の透明材の外側の端部の位置に光源体を取り付けることにした。
【００１４】
ショーケースは内部の棚が一段であっても良いが複数段であっても良い。複数段であるような場合、各々の棚に応じて前面外側に光源体が取り付けられていても良い。
【００１５】
棚が一段の場合には棚は固定されているであろうが、棚が複数段の場合には、左側壁及び右側壁に掛止部材が取り付けられるようになっており、この掛止部材に掛止させて前記左側壁と右側壁との間に棚を配置できるようにしているのが好ましい。つまり、棚はその高さが自由に調整できるようになっているのが好ましい。
【００１６】
ところで、棚の高さが調整できるようになっている場合、左側壁および右側壁には掛止部材が取り付けられる取付穴が複数段に亘って形成されていると共に、一つの段には少なくとも４個の取付穴が形成されており、かつ、棚は複数の枚数の棚によって一段の棚が構成できるようになっているのが好ましい。すなわち、一つの段の掛止部材に対して複数枚の棚を配置できるように構成されているのが好ましい。そして、この複数枚の棚にわたって合算した奥行寸法がショーケースの奥行方向の長さにほぼ等しいように棚が構成されていることが好ましい。
【発明の効果】
【００１７】
これまでのショーケースにあっては、内部を明るくする為の蛍光灯などの光源がショーケース内部に設置されていたことから、扉を閉じた閉鎖状態にあっては光源から発散する熱によって温度上昇が起きていたことに気付き、そこで光源をショーケースの外側に取り付けるようにした。従って、光源から熱が発散されても、その熱がショーケース内部に進入する割合は透明材の存在によって必然的に減少しており、それだけ内部に陳列されている製品は熱劣化が起き難い。かつ、光によって製品の色が褪せるのもそれだけ遅くなる。
【００１８】
特に、透明材として伝熱性の低い材料で構成させていると、その特長は更に大きい。又、特定波長の光しか入射されないような透明材で構成させていると、その特長は更に大きい。例えば、紫外線吸収剤を透明材に含ませていることは好ましい。
【００１９】
しかも、光源をショーケースの透明材に対応してショーケース外側に直接に取り付けているので、光源からの光はショーケース内部を明るく照らし、天井ライトの如何によらず、ショーケース内部は明るく、ショーケース内に陳列されている製品（商品）が見え易く、陳列効果は高い。
【００２０】
又、例えば奥行方向がＬのショーケースの左側壁および右側壁に複数段に亘って掛止部材（ピン）取付穴を設け、一つの段には、例えば４個の掛止部材（ピン）取付穴を設け、掛止部材に掛止させる棚は奥行方向の幅がＬ／２の棚としたので、一つの同じ段に２枚の棚を前後方向において並べるようにした場合には、それだけ広い面積（奥行方向の幅がＬ）のものとなるから、大きな商品を陳列できる。つまり、この場合には、二枚の棚で一つの段の棚を構成するようにしたから、これまでの陳列棚と同様な取扱いができる。つまり、大きな商品でも陳列が出来る。
【００２１】
逆に、小さな商品を陳列しようとする場合には、ある高さにおいて前側の位置に一枚の棚を配置し、そしてそれより少し高い位置において後側の位置にもう一枚の棚を配置する。そして、このような関係で全ての棚を前後の位置で少しずつ高さを異ならしめる。このようにした場合、Ｌ／２の幅の棚に一つ商品を陳列したとすると、前後において２列に亘って商品を陳列できる。しかも、高さに違いが有るから、つまり後列側の棚は前列側の棚より高さを高く出来ていることから、後列側に陳列した商品も十分に観察でき、顧客に対する陳列効果は高いものとなる。かつ、陳列数が多いものとなる。
【００２２】
そして、このような場合に有っても、光源体からの光によって内部は明るく照らされる。
【発明を実施するための最良の形態】
【００２３】
図１及び図２は、本発明になるショーケースの正面図および断面図である。
【００２４】
各図中、Ａは奥行方向の長さがＬのショーケースである。
ショーケースＡは、左側壁１と、右側壁２と、後壁３と、天板４と、底板５と、固定の中間板６ａ，６ｂ，６ｃとを備えた箱状のものである。そして、左側壁１、右側壁２、後壁３、天板４や底板５と言った外壁は、木や金属などの不透明材で構成されている。尚、ショーケース内の中間板６ａ，６ｂ，６ｃは、不透明材であっても良いが、透明材であっても良い。本実施形態では、アクリル板などの透明材で構成した。
【００２５】
左側壁１及び右側壁２には適宜な個所に孔７が設けられている。尚、孔７は一つの水平ラインに沿って４個設けられており、この孔７にはピン８が差し込まれるようになっている。そして、孔７に差し込まれたピン８に掛止させて棚板９ａ，９ｂが配置される。尚、この棚板９ａや棚板９ｂの奥行方向の寸法はＬ／２である。従って、２枚の棚板９ａ，９ｂを一つの水平ラインに沿って並べたり、段違いに並べることが出来るようになってい。つまり、ショーケースＡ内に陳列する商品の大きさに応じて棚板９ａ，９ｂの配置の仕方を変更することが可能であり、各種の大きさの商品の効果的な陳列が可能になる。つまり、図２の如くに棚板９ａ，９ｂを配置すれば、後方の棚板９ｂに置いた商品は前方の棚板９ａに置いた商品が邪魔にならずに観られ、多くの商品を陳列できるようになる。この棚板９ａ，９ｂは、不透明材であっても良いが、透明材であっても良い。本実施形態では、アクリル板などの透明材で構成した。これによって、棚板９ａの下側の中間板６ａ，６ｂ，６ｃ上に商品を陳列しても、明るさが余り損なわれない。
【００２６】
１０ａ，１０ｂは引き戸式の透明ガラス（紫外線吸収剤含有ガラス）製扉であり、透明ガラス製扉１０ａ，１０ｂはショーケースＡの前側に設けられたものである。従って、顧客は、前側の透明ガラス製扉１０ａ，１０ｂからショーケースＡ内に陳列されている商品を観察できる。
【００２７】
１１ａ，１１ｂ，１１ｃ，１１ｄは、中間板６ａ，６ｂ，６ｃ及び天板４の位置に対応して透明ガラス製扉１０ａ，１０ｂの外側に設けられた蛍光灯（スリームライン）である。従って、蛍光灯１１ａの光は透明ガラス製扉１０ａ，１０ｂを透過してショーケースＡの室Ａ１内を前方上部から明るく照らし、蛍光灯１１ｂの光は透明ガラス製扉１０ａ，１０ｂを透過してショーケースＡの室Ａ２内を前方上部から明るく照らし、蛍光灯１１ｃの光は透明ガラス製扉１０ａ，１０ｂを透過してショーケースＡの室Ａ３内を前方上部から明るく照らし、蛍光灯１１ｄの光は透明ガラス製扉１０ａ，１０ｂを透過してショーケースＡの室Ａ４内を前方上部から明るく照らすようになっている。
【００２８】
１２ａ，１２ｂ，１２ｃ，１２ｄは断面が略「形の反射板であり、反射板１２ａ，１２ｂ，１２ｃ，１２ｄは蛍光灯１１ａ，１１ｂ，１１ｃ，１１ｄに対応して設けられている。従って、蛍光灯１１ａ，１１ｂ，１１ｃ，１１ｄの光は反射板１２ａ，１２ｂ，１２ｃ，１２ｄによってショーケースＡ内部に効率良く導かれるようになっており、かつ、顧客がショーケースＡ内の商品を観察するのに眩しくないようになっている。
【００２９】
すなわち、ショーケースＡ内が明るく、内部に陳列されている商品の観察効果に優れている。
【００３０】
しかも、蛍光灯１１ａ，１１ｂ，１１ｃ，１１ｄが発生する熱は透明ガラス製扉１０ａ，１０ｂで幾分かは遮られるから、つまり熱伝達が妨げられるから、ショーケースＡ内が高温になり難い。従って、ショーケースＡ内に陳列されている商品がセルロイドのような耐熱性に劣るプラスチック製品であっても、熱損傷が起き難い。
【００３１】
又、蛍光灯１１ａ，１１ｂ，１１ｃ，１１ｄからの光は透明ガラス製扉１０ａ，１０ｂで幾分かは遮られるから、染料が塗布されている商品がショーケースＡ内に陳列されていても、色が褪せ難い。
【００３２】
尚、１３は底板５の下側に設けられたトランジスタ等の電子部品であり、蛍光灯１１ａ，１１ｂ，１１ｃ，１１ｄに繋がれたものである。
【００３３】
上記実施形態では、光源は透明ガラス製扉１０ａ，１０ｂの外側に設けられた場合である。しかしながら、左側壁１や右側壁２の少なくとも一部を透明材で構成し、この透明の左側壁１や右側壁２に対応した位置であって、その外側に光源を設けるようにしても良い。但し、この場合は、左側壁１や右側壁２に設けることから、光源の数が増加する。又、後壁３の少なくとも一部を透明材で構成し、この透明の後壁３に対応した位置であって、その外側に光源を設けるようにしても良い。但し、この場合は、光源からの光が前面側に向かうことから、顧客は眩しく感じるようになる。又、天板４の少なくとも一部を透明材で構成し、この透明の天板４に対応した位置であって、その外側に光源を設けるようにしても良い。但し、この場合は、ショーケースＡ内が一つのみの部屋であれば良いが、上下に複数の部屋が有るような場合には、下側の部屋が明るくなり難い。従って、光源は前面側に設けられるのが最も好ましい。
【図面の簡単な説明】
【００３４】
【図１】本発明になる物品陳列棚の正面図
【図２】本発明になる物品陳列棚の断面図
【符号の説明】
【００３５】
Ａ                              ショーケース
１                              左側壁
２                              右側壁
６ａ，６ｂ，６ｃ                中間板
９ａ，９ｂ                      棚板
１０ａ，１０ｂ                  透明ガラス製扉
１１ａ，１１ｂ，１１ｃ，１１ｄ  蛍光灯
１２ａ，１２ｂ，１２ｃ，１２ｄ  反射板
代  理  人  宇  高  克  己
【図１】
2005087428.tif 000003
【図２】
2005087428.tif 000004
【手続補正書】
【提出日】平成15年9月26日(2003.9.26)
【手続補正１】
【補正対象書類名】特許請求の範囲
【補正対象項目名】全文
【補正方法】変更
【補正の内容】
【特許請求の範囲】
【請求項１】
少なくとも前面側が透明材で構成されたショーケースにおいて、
前記前面側の透明材の外側の端部に光源体が取り付けられてなり、ショーケースの内部には光源体が配置されていない
ことを特徴とするショーケース。
【請求項２】
少なくとも前面側および前面側以外の一部個所が透明材で構成されたショーケースにおいて、
前記一部個所の透明材の外側に光源体が取り付けられてなり、ショーケースの内部には光源体が配置されていない
ことを特徴とするショーケース。
【請求項３】
光源体の光がショーケース内部に導かれるよう、かつ、ショーケース内部を観察する者に光源体の光が眩しくならないように反射板が光源体に対応して設けられてなることを特徴とする請求項１又は請求項２のショーケース。
【手続補正２】
【補正対象書類名】明細書
【補正対象項目名】００１３
【補正方法】変更
【補正の内容】
【００１３】
そして、この透明材の外側に光源体を取り付けるようにした。この取り付け位置は、透明材の外側であれば如何なる位置でも良いが、製品（商品）の出し入れや内部を覗くのに邪魔にならない位置が好ましい。すなわち、前面側の透明材の外側の端部の位置に光源体を取り付けることにした。
尚、光源体の光がショーケース内部に導かれるよう、かつ、ショーケース内部を観察する者に光源体の光が眩しくならないように反射板が光源体に対応して設けられていることが好ましい。